(57)【要約】【課題】従来構造では発泡ゴム系弾性体でパネルの下辺部を前側から付勢いしていたため、温度、湿度、紫外線などの影響で経年変化を起こし信頼性が低かった。また高周波ノイズ対策の導電性部材が、パネルの反りの変化を阻害して画質劣化を招いていた。【解決手段】薄型のパネルを採用した画像表示部の支持構造であって、該パネルの正面側の下辺に沿って第一の弾性手段を設け、該パネルの背面側の下辺に沿って第二の弾性手段を設け、更に該パネルの正面側を覆う金属製枠部材、及び該パネルの背面側を覆う樹脂製枠部材を配置した構成において、該第一の弾性手段が導電性を有する金属材料を所定の形状に加工していることを特徴とする。【選択図】図１
2017198760.tif 000002
【特許請求の範囲】
【請求項１】
薄型のパネルを採用した画像表示部の支持構造であって、該パネルの正面側の下辺に沿って第一の弾性手段を設け、該パネルの背面側の下辺に沿って第二の弾性手段を設け、更に該パネルの正面側を覆う金属製枠部材、及び該パネルの背面側を覆う樹脂製枠部材を配置した構成において、該第一の弾性手段が導電性を有する金属材料を所定の形状に加工していることを特徴とする画像表示装置。
【請求項２】
該第一の弾性手段にはばね定数が低い第一のばね部、及びばね定数が高い第二のばね部
が形成されていることを特徴とする請求項１に記載の画像表示装置。
【請求項３】
該第一の弾性手段を複数有しており、正面から見て該パネルの中心を通過する仮想垂直線に対して、左右対称位置に配置したことを特徴とする請求項１に記載の画像表示装置。
【請求項４】
該第一のばね部、及び第二のばね部は該第一の弾性手段から独立して伸びる板ばね形状を有しており、該第一のばね部は該第二のばね部よりも曲げ高さが低いことを特徴とする請求項１又は請求項２に記載の画像表示装置。
【請求項５】
該第一のばね部、及び第二のばね部は該第一の弾性手段から伸びる板ばね形状を有しており、該第一のばね部の一部に第二のばね部が形成されていることを特徴とする請求項１又は請求項２に記載の画像表示装置。
【請求項６】
該第一の弾性手段には該パネル表面に形成した導電性膜との電気導通部を設け、更に該
金属製枠部材との電気導通部とを設けたことを特徴とする請求項１乃至請求項５の何れか一項に記載の画像表示装置。
【請求項７】
該第一の弾性手段には断面コの字状で該パネルの端部と嵌合する挟み部を形成しており、該挟み部の両端同士の間隔が、部品状態では該パネルの厚みよりも狭く、且つ該両端の一方または両方に屈曲部を形成していることを特徴とする請求項１に記載の画像表示装置。
【請求項８】
該第一の弾性手段には該パネルの下端部で該パネルの質量を受ける支持面を形成しており、更に平滑性の摺動面を該支持面と平行に備えており、該摺動面が該樹脂製枠部材に嵌合していることを特徴とする請求項１に記載の画像表示装置。
【発明の詳細な説明】
【技術分野】
【０００１】
本発明は、画像表示装置に内蔵する表示パネルの支持構造を有する画像表示装置に関する。
【背景技術】
【０００２】
テレビ、コンピュータの端末、広告媒体、医療用機器、画像製作などの用途に、モニター（画像表示装置）が用いられている。これらの装置の基本構造は面光源装置と液晶パネルとを内蔵する画像表示部、電気回路部、それらを支持する構造部、更に外装部から成っている。近年注目されているのが、本体厚みが数十mmといった薄型構造のモニターであり、更に表示画像の精細度を高めて質感を出す技術も普及しつつある。
【０００３】
図９は従来例として、液晶を用いた画像表示部を示す図面であり、図９（A）が正面図、図９（B）が縦断面図を表している。尚、図９（A）では一部の部品を透視して表している。本図を用いて説明を加える。
【０００４】
モニター１００は薄型画像表示部を内蔵するモジュールを表している。パネル１０１はモニター１００が内蔵する液晶を利用した画像表示部を表している。フレーム１０２はパネル１０１の前面から側面に渡り該パネル１０１を覆うように配置されている製の部品であり、前面側には開口１０２-ｂが形成されてパネル１０１の表示画像を目視出来る。ホルダー１０３はパネル１０１を支持する主要部材であり、パネル１０１の側面から背面に渡りパネル１０１を覆うように配置された枠形状の樹脂成型部品であり、底部１０３-ａとパネル１０１を受ける凸部１０３-ｂが形成されている。
【０００５】
位置規定弾性体１０４はパネル１０１の下辺の前方に沿って配置された発泡材による弾性部品であり、フレーム１０２の内壁に両面テープ（図示せず）で接着されている。背面弾性体１０５はパネル１０１の全周にわたる背面側に枠状に配置された発泡材による弾性部品であり、ホルダー１０３の垂直面に両面テープ（図示せず）で接着されている。導電性弾性体１０６は、パネル１０１の底面に密着するように２か所に配置された導電性被覆を有する発泡材による弾性部品であり、ホルダー１０３の底部１０３-aに両面テープで接着されている。
【０００６】
バックライト１０７は、パネル１０１の背面側に対向配置された照明装置であり、ケース背面には電源や駆動のための電気回路（図示せず）、ケース内部に光源と反射部を設け、更にパネル１０１と向き合う開口部には光学シート類（図示せず）を設けている。以上の構成による機能について説明を加える。
【０００７】
本モニターで画像を表示する原理は、バックライト１０７が発光した光束がパネル１０１を通過することによる、すなわちパネル１０１は液晶の特性を用いたシャッターであり、パネル１０１に電気的に送られた画像信号により内部に形成したトランジスタが液晶分子を動作することで機能している。
【０００８】
ところで、パネル１０１の機械的構造は、二枚のガラス板の間に液晶をシールして封じこめ、ガラス板表面には両面に偏光フィルムを貼り合わせている。偏光フィルムはポリビニールアルコールフィルムを一軸延伸させて製作するために収縮応力を有している。
【０００９】
パネル１０１を機能させるために、前記偏光フィルムは前記ガラス板のうちバックライト１０７側には延伸方向が垂直のフィルムを貼り合わせ、正面の視認側には延伸方向が水平のフィルムを貼り合わせている。ポリビニールアルコールフィルムは性質上、周囲の湿度に敏感であり、湿度が高い場合には水分を吸収して延伸し、湿度が低い場合には水分を放出して収縮する。
【００１０】
したがって、延伸方向が９０°異なる偏光フィルムを貼り合わせたパネル１０１は、周囲の湿度の影響で背面と正面の偏光フィルムの延伸または収縮力で複雑な形状のたわみを生じる。パネル１０１にたわみが生じると、内部の液晶が電界を受けなくても動作してしまい、つまりシャッターの開閉動作をするために、本来は閉じていなければならない状態において光が透過する状態になる場合がある。これを「黒表示むら」といって、画像のコントラストを低下させる原因となる。
【００１１】
一方、電気的なパネル駆動の技術であるが、近年の高画質化にともなって画像信号の周波数が高くなっており、その影響で駆動回路や信号入力回路からの高周波ノイズがパネル１０１をアンテナとし、モニター１００の外部へ放出することが懸念される。対策としてはパネル１０１の表面周辺部にITO（酸化インジウムチタン）による導電性膜を形成し、導電性弾性体１０６によりGND電位であるフレーム１０２に電気的に接続することで解決できる。
【００１２】
前者の表示品位の対策に従来例では、位置規定弾性体１０４が常にパネル１０１をバックライト１０７方向に付勢している（特許文献１参照）。
【先行技術文献】
【特許文献】
【００１３】
【特許文献１】特開平１０−９８６６１号公報
【発明の概要】
【発明が解決しようとする課題】
【００１４】
ところが、この位置規定弾性体１０４の材質が、ＥＰＤＭ（エチレンプロピレンジエンゴム）系の発泡体であるため、温度や湿度、あるいは酸素、紫外線などの影響で経年劣化してしまう。つまり、従来構成の画像表示装置は、使用年月が経過すると徐々に画像の劣化を感じるようになる。
【００１５】
更に後者の高周波ノイズの対策に用いる導電性弾性体１０６は、パネル１０１の端面に密着して両者の摩擦が大きいため、構造的にパネル１０１のたわみ時の微妙な動きを阻害する場合があり、その結果「黒表示むら」発生の原因になることもわかってきた。
【００１６】
上記の課題を解決するため、本発明は、画像表示装置において、パネル１０１のたわみを所定の範囲に規定できる、更に表示品位に影響を与えない高周波ノイズの対策の構造を提案することを目的としている。
【課題を解決するための手段】
【００１７】
上記の目的を達成するために、本発明に係る画像表示装置は、  
薄型のパネルを採用した画像表示部の支持構造であって、該パネルの正面側の下辺に沿って第一の弾性手段を設け、該パネルの背面側の下辺に沿って第二の弾性手段を設け、更に該パネルの正面側を覆う金属製枠部材、及び該パネルの背面側を覆う樹脂製枠部材を配置した構成において、該第一の弾性手段が導電性を有する金属材料を所定の形状に加工していることを特徴としている。
【発明の効果】
【００１８】
本発明の画像表示装置によれば、パネル１０１のたわみを所定の範囲に規定し、表示品位に影響を与えない高周波ノイズの対策の構造を提供することが可能となる。
【図面の簡単な説明】
【００１９】
【図１】本発明の第一の実施例の特徴を表す、画像表示装置の図面であり、正面図（Ａ）と縦断面図（Ｂ）である。
【図２】本発明の第一の実施例の特徴を表すバネ構造体の詳細図であり、正面図（Ａ）と上面図（Ｂ）  、側面図（Ｃ）、ＡＡ‘断面図（Ｄ）である。
【図３】本発明の第一の実施例の特徴を表すバネ構造体の要部図面であり、装着状態（Ａ）と部品状態（Ｂ）である。
【図４】本発明の第一の実施例の特徴を説明するためにパネルとフレームとの距離関係を表す図面であり、隙間大（Ａ）、隙間中（Ｂ）、隙間小（Ｃ）である。
【図５】本発明の第一の実施例の特徴を表すバネ構造体と、従来例の位置規定弾性体との圧縮率と圧縮硬さの特性を示すグラフである。
【図６】本発明の二の実施例の特徴を表すバネ構造体の詳細図であり、正面図（Ａ）と上面図（Ｂ）  、側面図（Ｃ）である。
【図７】本発明の第二の実施例の特徴を説明するためにパネルとフレームとの距離関係を表す図面であり、隙間大（Ａ）、隙間中（Ｂ）、隙間小（Ｃ）である。
【図８】本発明の第二の実施例の特徴を表すバネ構造体と、従来例の位置規定弾性体との圧縮率と圧縮硬さの特性を示すグラフである。
【図９】従来例の特徴をもっともよく表す画像表示装置の図面であり、正面図（Ａ）と縦断面図（Ｂ）である。
【発明を実施するための形態】
【００２０】
以下、本発明を実施するための形態について、図面を参照しながら説明する。
【００２１】
［実施例１］
図１は本発明の第一の実施例の特徴を表す画像表示装置の図面であり、正面図（Ａ）と縦断面図（Ｂ）であり、図２は構成部品であるバネ構造体の詳細図であり、正面図（Ａ）と上面図（Ｂ）、側面図（Ｃ）、ＡＡ‘断面図（Ｄ）である。図３はバネ構造体の要部図面であり、装着状態（Ａ）と部品状態（Ｂ）である。以上の図面を使用して構造の説明をする。
【００２２】
モニター１は液晶を内蔵した画像表示装置であり、後述するバックライト、液晶パネル、および画像を表示するための電気回路（図示せず）から構成されている。
【００２３】
パネル２は、カラーフィルターを形成したガラス基板に電気配線を形成したガラス基板を向かい合わせ、両基板間に液晶を封入し、更に該ガラス基板の端子部に後述の電気ケーブルを接続した構造を備えている。
【００２４】
フレーム３は、鋼板を板金加工により開口を有する枠形状とし、パネル２の前方４辺を覆っている。３−aはフレーム３の外形を示す二点鎖線であり、３−bはフレーム３の開口部を示している。
【００２５】
ホルダー４は、フレーム３との間でパネル２を挟持するための樹脂製の枠部材であり、凹部４−a、底部４−bを射出成型で形成している。
【００２６】
バネ構造体（左）５およびバネ構造体（右）６は、バネ性を有するリン青銅にニッケルメッキを施した材料、またはステンレス鋼を、板金により所定の形状に形成した弾性部材であり、両者はパネル２の垂直な中心線を基準に左右対称形状で、かつ左右対称の位置に配置されている。構造の詳細は後述する。バックライト７は、内部に光源であるＬＥＤ（Light Emitting Diode）と光を拡散して前面へ照射するための導光板や反射板、拡散板などで構成した光学系を有している。背面弾性体８は、ホルダー４の垂直面の開口部前面に沿って４辺に、両面テープで固定した弾性材であり、柔軟性のある、たとえばシリコーン系ゴムシートを所定の幅に切断して製作する。
【００２７】
次に本発明の特徴であるバネ構造体（左）５およびバネ構造体（右）６（以下、バネ構造体５、６と省略する）の構造について説明する。
【００２８】
パネル挟み部１１は断面が略コの字状で開口寸法はパネル２の厚みに近似させている。図３で示すように、部品状態では断面コの字先端部の幅がパネル２の厚みより若干狭く形成されている。導電膜接触部１２は前記パネル挟み部１１を構成する一部であり、パネル２に装着した場合にパネル２表面のＩＴＯ膜（図示せず）と機械的、電気的に接触する部位である。
【００２９】
低ばね定数バネ部１３は、バネ構造体５、６を正面から見た状態で略コの字型の腕形状、且つ上面、側面からも見て複数の屈曲部を有している。先端部には断面Ｕの字状のフレーム接触部１３−aを形成している。高ばね定数バネ部１４は、バネ構造体５、６を正面から見た状態で逆さＬの字型の腕形状、且つ上面、側面からも見て複数の屈曲部を有している。先端部には断面Ｕの字状のフレーム接触部１４−aを形成している。
【００３０】
パネル押し圧部１５はパネル挟み部１１のコの字両先端部で、パネル２に装着した状態では常にパネル２の板厚方向に応力を働かせる機能を有している。パネル２の下側から装着し易いように先端部は開き方向に屈曲している。パネル受け部１６は、パネル挟み部１１のコの字基部の一部を断面つづら折り形状に形成した部分であり、パネル２に装着した状態ではパネル２の底部端面の荷重を受けている。摺動面１７は、パネル挟み部１１のコの字基部の外側表面で平滑性を形成していて、凹部４−aになめらかな摺動可能に接している。
【００３１】
次に、本構造におけるバネ構造体５、６の働きについて図４のＡＡ‘断面（Ａ）、（Ｂ）,（Ｃ）と図５のグラフを用いて説明する。
【００３２】
図４（Ａ）はパネル２に対して前方にフレーム３を組み立てた状態を表している。
【００３３】
パネル表面２−aと、フレーム接触部１３−aが接するフレーム内壁３−cとの距離はa、パネル表面２−aとフレーム接触部１４−aとの距離はbと表す。この状態ではバネ構造体５、６の低ばね定数バネ部１３にフレーム３からわずかな押し圧力しか掛かっておらず、フレーム接触部１４-aはフレーム３と離れている。図５のグラフで示す圧縮率０の（a）点、（b）点の状態である。
【００３４】
図４（Ｂ）はフレーム３に対して、低ばね定数バネ部１３にたわみが生じてパネル２が接近した状態を表している。
【００３５】
フレーム内壁３−cに押されたフレーム接触部１３−aにより低ばね定数バネ部１３が大きくたわみ、距離aが距離a1に変化した。図５のグラフでは約６０％圧縮された（a1）点、（b）点の状態である。
【００３６】
図４（Ｃ）はフレーム３に対して、たわみが更に大きくなったパネル２が更に接近した状態を表している。
【００３７】
フレーム内壁３−cに押されたフレーム接触部１３−aにより低ばね定数バネ部１３が更に大きくたわみ、距離a1が距離a2に変化した。更にフレーム接触部１４−aがフレーム３に接触し高ばね定数バネ部１４がたわみ、距離bが距離b1に変化した。図５のグラフでは約９０％圧縮された（a2）点、（b1）点の状態である。尚、この時にパネル２が受ける圧縮荷重は（a2）＋（b1）の合成荷重となる。
【００３８】
したがって、低ばね定数バネ部１３および高ばね定数バネ部１４を有するバネ構造体５、６によりパネル２が受ける圧縮荷重は、フレーム内壁３−cとパネル表面２−aとの距離により図５のグラフで示したように、ほぼ従来例の位置規定弾性体１０４の圧縮率/圧縮荷重の特性と近似する。
【００３９】
バネ構造体５、６は先に述べたように金属性の部品であるために温度や湿度、あるいは酸素、紫外線などの影響で経年劣化することが無く、本モニターを使用開始した時から５年１０年と使用を継続しても図５に表す圧縮率/圧縮荷重の特性が変化を抑制し、パネル２のたわみの変化を抑制することができる。したがって、経年変化による「黒表示むら」の増加による画像のコントラストを低下が起こりづらくなる。
【００４０】
一方、内部電気回路から発生する高周波ノイズは、GND電位であるフレーム３と電気的に接触している導電膜接触部１２が、パネル２表面のＩＴＯ膜（図示せず）と機械的、電気的に接触しているため、パネル２がアンテナとなって高周波ノイズをモニター１外部に放出しない。
【００４１】
以上説明した構成をまとめると、本発明は以下の特徴を有する。バネ構造体（左）５およびバネ構造体（右）６をパネル２の前方、背面弾性体８をパネル後方に配置してフレーム３とホルダー４とでパネル２を挟持した。バネ構造体（左）５およびバネ構造体（右）６は、バネ性を持たせやすく、かつ導電性を有する金属製材料を使用して弾性部材として機能させた。バネ構造体（左）５およびバネ構造体（右）６は、ほぼ同一の寸法で同一のバネ特性を有し、パネル２の中心を通過する架空垂直線を基準に左右対称に配置した。
【００４２】
さらに、バネ構造体（左）５およびバネ構造体（右）６それぞれに、低ばね定数バネ部１３、高ばね定数バネ部１４を形成し、更にパネル２の位置により両バネ部先端がフレーム３に接する配置とした。パネル２とフレーム３との距離に応じて、フレーム接触部１３−aがフレーム３に接触状態、低ばね定数バネ部１３が大きく撓む状態、フレーム接触部１４−aがフレーム３に接触状態、高ばね定数バネ部１４が大きく撓む状態と４つの状態を有する。バネ構造体（左）５およびバネ構造体（右）６は、パネル２表面のＩＴＯ膜と機械的、電気的に接触する導電膜接触部１２を有し、更に先端部には断面Ｕの字状のフレーム接触部１３-a、１４−aを有している。
【００４３】
さらに、パネル挟み部１１は断面が略コの字状で、先端に開き方向の屈曲を形成したパネル押し圧部１５を両端に設け、両者の幅がパネル２の厚みより若干狭く形成した。パネル挟み部１１の一部に、パネル２の底部端面の荷重を受けるパネル受け部１６と、平滑性の摺動面１７を設け、ホルダー４の凹部４-aに嵌合した。
【００４４】
以上の特徴により、本構成によれば以下の効果がある。同一仕様のバネ構造体をパネルに対して前方で左右に均等配置し、後方に背面弾性体を配置してフレームとホルダーとでパネルを挟持した。更にパネル挟み部がパネルを挟んだ状態で摺動可能にホルダー凹部に嵌合させたため、環境変化によるパネルのたわみ時の微妙な動きを阻害しないため、「黒表示むら」が発生しにくく画質が向上した。
【００４５】
パネルとフレームとの距離に応じてフレームに接触してバネ力を発生する、低ばね定数バネ部と高ばね定数バネ部をバネ構造体に形成したため、圧縮率/圧縮荷重特性において、圧縮率６０％付近で変曲点を有するバネ特性が得られた。それにより、パネルをバックライト方向に適度に付勢でき、「黒表示むら」が発生しにくく画質が向上した。パネルをバックライト方向に適度に付勢するバネ構造体に金属製材料を使用したため、温度や湿度、あるいは酸素、紫外線などの影響による経年劣化を抑制し、画質劣化を抑制することができるので信頼性が向上した。
【００４６】
バネ構造体に導電性の金属製材料を使用し、先端部には断面Ｕの字状のフレーム接触部でフレームに接触させ、更に導電膜接触部をパネルのＩＴＯ膜と接触する構造にしたため、表示品位に影響しない高周波ノイズ対策となり、信頼性が向上した。断面が略コの字状のパネル挟み部は、パネルの厚みより若干狭くかつ先端に開き方向の屈曲を形成したパネル押し圧部を設けたため、パネルに装着しやすく、かつ外れ難いため、組み立て作業性と信頼性が向上した。パネル挟み部１１の一部の摺動面１７をホルダー４の凹部４-aに嵌合したため、バネ構造体がパネルに対してずれることを抑制し、画質劣化を抑制することができるので信頼性が向上した。
【００４７】
尚、本構成を液晶パネルのみならず、有機ELパネルなどの薄型で反りに起因する画質劣化を起こす可能性があるモジュールにも適用可能である。
【００４８】
［実施例２］
図６は本発明の特徴をもっともよく表す、モニターに装着したバネ構造体の詳細図であり、正面図（Ａ）と上面図（Ｂ）  、側面図（Ｃ）である。
【００４９】
尚、実施例１と同じ配置であり、同様の構成部品や同じ機能については説明を省略する。
【００５０】
バネ構造体２０は、バネ性を有するリン青銅にニッケルメッキを施した材料、またはステンレス鋼を板金により所定の形状に形成した弾性部材であり、パネル２の垂直な中心線を基準に左右対称位置に配置されている。構造の詳細は後述する。
【００５１】
低ばね定数バネ部２１は、バネ構造体２０を正面から見た状態で略ロの字型の閉じた腕形状、且つ上面、側面からも見て複数の屈曲部を有している。高ばね定数バネ部２２は、バネ構造体２０を正面から見た状態で低ばね定数バネ部２１の中央部からＩ字形状で延びる腕部であり、且つ側面からも見て屈曲部を有している。先端部にはお椀形状のフレーム接触部２２−aを形成している。パネル接触部２３は、低ばね定数バネ部２１の腕の二か所形成された断面Ｕの字状の部位であり、パネル２方向に凸形状である。
【００５２】
次に、本構造におけるバネ構造体２０の働きについて図７のBB‘断面（Ａ）、（Ｂ）,（Ｃ）と図８のグラフを用いて説明する。
【００５３】
図７（Ａ）はパネル２に対して前方にフレーム３を組み立てた状態を表している。
【００５４】
高ばね定数バネ部２２の屈曲根元とフレーム接触部２２−aとの距離はc、パネル表面２−aと、フレーム接触部２２−aが接するフレーム内壁３−cとの距離はdと表す。この状態ではバネ構造体２０の低ばね定数バネ部２１および高ばね定数バネ部２２にはフレーム３からの押し圧力はわずかであり、図８のグラフで示す圧縮率０の（c）点、（d）点の状態である。
【００５５】
図７（Ｂ）はフレーム３に対して、たわみが生じたパネル２が接近した状態を表している。
【００５６】
フレーム接触部２２−aはフレーム内壁３−cに押されるが、ばね定数が大きいために高ばね定数バネ部２２の屈曲根元は曲がらず、代わりに低ばね定数バネ部２１が大きくたわみ、距離dが距離d1に変化した。図８のグラフでは約６０％圧縮された（c）点、（d1）点の状態である。また、この時にパネル接触部２３がパネル表面２−aと接触している。
【００５７】
図７（Ｃ）はフレーム３に対して、たわみが更に大きくなったパネル２が、更に接近した状態を表している。
【００５８】
パネル接触部２３がパネル表面２−aと接触しているため、フレーム内壁３−cに押されたフレーム接触部２２−aにより高ばね定数バネ部２２が大きくたわみ、距離cが距離c1に変化し、同時に距離d1が距離d2に変化した。図５のグラフでは約９０％圧縮された（c1+d2）点の状態である。つまりパネル２が受ける圧縮荷重は（c1+d2）点の剛性荷重となる。
【００５９】
したがって、低ばね定数バネ部２１および高ばね定数バネ部２２を有するバネ構造体２０によりパネル２が受ける圧縮荷重は、フレーム内壁３−cとパネル表面２−aとの距離により図８のグラフで示したように、ほぼ従来例の位置規定弾性体１０４の圧縮率/圧縮荷重の特性と近似する。
【００６０】
バネ構造体２０は先に述べたように金属性の部品であるために温度や湿度、あるいは酸素、紫外線などの影響による経年劣化を抑制し、本モニターを使用開始した時から５年１０年と使用を継続しても図８に表す圧縮率/圧縮荷重の特性が変化することを抑制し、常にパネル２のたわみの変化を抑制することが可能となる。したがって、経年変化による「黒表示むら」の増加による画像のコントラストの低下が起きづらくなる。
【００６１】
以上の構成における本実施例のみの特徴をまとめると、以下の通りであるバネ構造体２０に設けた低ばね定数バネ部２１の腕の中央部に、更に屈曲部を有する高ばね定数バネ部２２を形成し、先端にフレーム接触部２２−aを設けた。低ばね定数バネ部２１の平面で見てロの字状の腕の二か所に、パネル２方向に凸形状である断面Ｕの字状のパネル接触部２３を形成した。
【００６２】
パネル２とフレーム３との距離に応じてフレーム接触部２２−aがフレーム３に接触状態、低ばね定数バネ部２１が大きく撓む状態、パネル接触部２３がパネル２に接触状態、高ばね定数バネ部２２が大きく撓む状態と４つの状態を有する。
【００６３】
以上の特徴により、本構成によれば以下の効果がある。パネル前方に配置してパネルをバックライト方向に付勢するバネ構造体は、平面で見てロの字状の腕を有する低ばね定数バネ部の腕の中央部に高ばね定数バネ部を形成したことにより、圧縮率/圧縮荷重のバネ特性において、圧縮率約６０％まで低荷重でパネルのたわみを受けられ、更に上記低ばね定数バネ部の腕の二か所に、パネル方向に凸形状である断面Ｕの字状のパネル接触部を形成したため、圧縮率約６０％を越えてから高荷重でパネルのたわみを受けられる。以上の構成により、パネルをバックライト方向に適度に付勢でき、「黒表示むら」が発生しにくく画質が向上した。
【符号の説明】
【００６４】
１  モニター、２  パネル、３  フレーム、４  ホルダー、５  バネ構造体左、
６  バネ構造体右、７  バックライト、８  背面弾性体、１１  パネル挟み部、
１２  導電膜接触部、１３  低ばね定数バネ部、１４  高ばね定数バネ部、
１５  パネル押し圧部、１６  パネル受け部、１７  摺動面、２０  バネ構造体、
２３  パネル接触部、１０４  位置規定弾性体、１０６  導電性弾性体
【図１】
2017198760.tif 000003
【図２】
2017198760.tif 000004
【図３】
2017198760.tif 000005
【図４】
2017198760.tif 000006
【図５】
2017198760.tif 000007
【図６】
2017198760.tif 000008
【図７】
2017198760.tif 000009
【図８】
2017198760.tif 000010
【図９】
2017198760.tif 000011